(57)【要約】【課題】使用に際して温感を有し、水を加えて泡立たせることができる透明な洗浄剤組成物、即ち、温感性透明起泡洗浄剤組成物を提供する。【解決手段】組成物の総重量を基準として、多価アルコールを６０重量％以上、ポリグリセリン骨格を有し、前記多価アルコールに水分なしで透明溶解する１種以上の非イオン性界面活性剤を１〜４０重量％含有し、且つ、水分量を０重量％とする。【選択図】なし【特許請求の範囲】
【請求項１】
組成物の総重量を基準として、
多価アルコールを６０重量％以上、
ポリグリセリン骨格を有する１種以上の非イオン性界面活性剤を１〜４０重量％含有し、
且つ、水分量が０重量％であることを特徴とする温感性透明起泡洗浄剤組成物。
【請求項２】
組成物の総重量を基準として、
多価アルコールを６０重量％以上、
ポリグリセリン骨格を有する１種以上の非イオン性界面活性剤を１〜４０重量％含有し、
且つ、水分量が１０重量％以下であることを特徴とする温感性透明起泡洗浄剤組成物。
【請求項３】
請求項１又は請求項２に記載の温感性透明起泡洗浄剤組成物であって、
前記非イオン性界面活性剤として、ポリグリセリン脂肪酸エステルを含有することを特徴とする温感性透明起泡洗浄剤組成物。
【請求項４】
請求項１又は請求項２に記載の温感性透明起泡洗浄剤組成物であって、
前記非イオン性界面活性剤として、ポリグリセリンアルキルエーテルを含有することを特徴とする温感性透明起泡洗浄剤組成物。
【請求項５】
請求項１又は請求項２に記載の温感性透明起泡洗浄剤組成物であって、
前記非イオン性界面活性剤として、ポリグリセリン脂肪酸エステル及びポリグリセリンアルキルエーテルを含有することを特徴とする温感性透明起泡洗浄剤組成物。
【請求項６】
請求項１乃至請求項５のいずれか１つに記載の温感性透明起泡洗浄剤組成物であって、
組成物の総重量を基準として、カルボキシビニルポリマーを０．０１〜２．０重量％含有することを特徴とする温感性透明起泡洗浄剤組成物。
【請求項７】
請求項１乃至請求項６のいずれか１つに記載の温感性透明起泡洗浄剤組成物であって、
組成物の総重量を基準として、下記一般式（１）
【化１】
2010106258.tif 000005
（但し、式中において、Ｒはアルキル基を示し、Ｒ’は、ステアリル基を示す、また、ｘ、ｙ、ｚ、及びｎは、それぞれ、１以上の整数を表す。）で示される（アクリレーツ／イタコン酸ステアレス）コポリマーを０．１〜５．０重量％含有することを特徴とする温感性透明起泡洗浄剤組成物。  
【請求項８】
請求項１乃至請求項７のいずれか１つに記載の温感性透明起泡洗浄剤組成物であって、
組成物の総重量を基準として、シリコーン系界面活性剤を０．１〜５．０重量％含有することを特徴とする温感性透明起泡洗浄剤組成物。
【請求項９】
請求項１乃至請求項８のいずれか１つに記載の温感性透明起泡洗浄剤組成物であって、
組成物の総重量を基準として、油分を０．０１〜５．０重量％含有することを特徴とする温感性透明起泡洗浄剤組成物。
【発明の詳細な説明】
【技術分野】
【０００１】
本発明は、使用に際して温感を有し、水を加えて泡立たせることができる透明均一な洗浄剤組成物、即ち、温感性透明起泡洗浄剤組成物に関する。
【背景技術】
【０００２】
従来、皮膚への温感作用による血行促進でマッサージ効果が得られるとともに、皮膚上の汚れや皮脂の洗浄を行うことが可能な皮膚洗浄剤組成物が開発されている。
【０００３】
例えば、特許文献１に記載の皮膚洗浄剤組成物は、多価アルコールと、温感付与物質と、アミノ酸系アニオン界面活性剤とが配合されたものであり、使用時には、多価アルコールと水分との水和熱によって皮膚に温熱感をもたらすことできる上、アミノ酸系アニオン界面活性剤によって皮膚上の汚れや皮脂を洗浄することができるとしている。
【０００４】
一方、皮膚洗浄剤においては、清浄感、扱いやすさなどの観点から、透明液状や透明粘性液状のものが市場において高く評価されており、上記したような温感作用によるマッサージ効果を兼ね備えた皮膚洗浄剤においても、透明均一であることが強く要望されている。
【先行技術文献】
【特許文献】
【０００５】
【特許文献１】特開２００１−１６３７６７号公報
【発明の概要】
【発明が解決しようとする課題】
【０００６】
しかしながら、特許文献１に記載の皮膚洗浄剤組成物は、水和することにより発熱する多価アルコールへの、アミノ酸系アニオン性界面活性剤やラウリルアミノジ酢酸ナトリウムやポリオキシエチレンラウリル硫酸ナトリウムやベタイン型両性界面活性剤等のイオン性界面活性剤の溶解性が悪い為、水溶液になっている界面活性剤を多く配合する必要があり、実際上は水分量が多い組成物にならざるを得ず強い温感を得ることができなかった。また、強い温感を得るために水分を少なくすると、イオン性界面活性剤が析出し、不透明不均一となってしまっていた。
【０００７】
本発明は、このような状況に鑑みてなされたものであって、皮膚に強い温感をもたらすことができ、且つ、水を加えて泡立たせることができる透明均一な洗浄剤組成物、即ち、温感性透明起泡洗浄剤組成物を提供することを目的とする。
【課題を解決するための手段】
【０００８】
本発明者らは、上記課題に対して鋭意検討した結果、ポリグリセリン骨格を有する非イオン性活性剤が水分なしで多価アルコールに透明溶解すること、さらには、ポリグリセリン骨格を有する非イオン性界面活性剤と多価アルコールを含有する組成物が水を加えて泡立たせることができるものであることを見出し、本発明を完成するに至った。
【０００９】
すなわち、本発明に係る温感性透明起泡洗浄剤組成物は、組成物の総重量を基準として、多価アルコールを６０重量％以上、ポリグリセリン骨格を有する１種以上の非イオン性界面活性剤を１〜４０重量％含有し、且つ、水分量が０重量％であることを特徴とする。
【００１０】
あるいは、本発明に係る温感性透明起泡洗浄剤組成物は、組成物の総重量を基準として、多価アルコールを６０重量％以上、ポリグリセリン骨格を有する１種以上の非イオン性界面活性剤を１〜４０重量％含有し、且つ、水分量が１０重量％以下であることを特徴とする。
【００１１】
また、本発明に係る温感性透明起泡洗浄剤組成物では、前記非イオン性界面活性剤として、ポリグリセリン脂肪酸エステルを含有してもよい。
【００１２】
また、本発明に係る温感性透明起泡洗浄剤組成物では、前記非イオン性界面活性剤として、ポリグリセリンアルキルエーテルを含有してもよい。
【００１３】
また、本発明に係る温感性透明起泡洗浄剤組成物では、前記非イオン性界面活性剤として、ポリグリセリン脂肪酸エステル及びポリグリセリンアルキルエーテルを含有してもよい。
【００１４】
また、本発明に係る温感性透明起泡洗浄剤組成物では、組成物の総重量を基準として、カルボキシビニルポリマーを０．０１〜２．０重量％含有してもよい。
【００１５】
また、本発明に係る温感性透明起泡洗浄剤組成物では、組成物の総重量を基準として、下記一般式（１）
【００１６】
【化１】
2010106258.tif 000002
【００１７】
（但し、式中において、Ｒはアルキル基を示し、Ｒ’は、ステアリル基を表す。また、ｘ、ｙ、ｚ、及びｎは、それぞれ、１以上の整数を表す。）で示される（アクリレーツ／イタコン酸ステアレス）コポリマーを０.１〜５．０重量％含有してもよい。  
【００１８】
また、本発明に係る温感性透明起泡洗浄剤組成物では、組成物の総重量を基準として、シリコーン系界面活性剤を０．１〜５．０重量％含有してもよい。
【００１９】
また、本発明に係る温感性透明起泡洗浄剤組成物では、組成物の総重量を基準として、油分を０．０１〜５．０重量％含有してもよい。
【発明の効果】
【００２０】
本発明によれば、皮膚に強い温感をもたらすことができ、且つ、水を加えて泡立たせることができる透明均一な洗浄剤組成物、即ち、温感性透明起泡洗浄剤組成物を提供することができる。
【発明を実施するための形態】
【００２１】
以下、本発明を詳細に説明する。
【００２２】
本発明の温感性透明起泡洗浄剤組成物は、多価アルコールと、ポリグリセリン骨格を有する１種以上の非イオン性界面活性剤とを必須成分として含有する。
【００２３】
＜多価アルコール＞
多価アルコールとしては、一般的に公知の多価アルコールをいずれも使用することができ、具体的には、プロピレングリコール、１，３−ブチレングリコール、ジプロピレングリコール、ポリエチレングリコール、グリセリン、ジグリセリン、ソルビトール、イソプレングリコール、１，２―ペンタンジオール、１，２−ヘキサンジオール、１，２−オクタンジオール、２，４−ヘキシレングリコール等を使用することができる。なお、これらの多価アルコールは、単独で使用されても、２種以上が併用されて使用されてもよい。
【００２４】
これらの多価アルコールは、本発明の温感性透明起泡洗浄剤組成物の使用時、皮膚の水分との水和熱によって皮膚に温感をもたらす。このため、本発明において、多価アルコールの含有量は、皮膚の水分との水和熱によって皮膚に温感をもたらすことができる量とされていればよく、具体例としては、組成物全体に対して、６０重量％以上であることが好ましく、７５重量％以上であることが特に好ましい。多価アルコールの含有量が組成物全体に対して６０重量％未満である場合、皮膚に十分な温感をもたらすことができないおそれがある。
【００２５】
＜非イオン性界面活性剤＞
本発明において使用される非イオン性界面活性剤は、ポリグリセリン骨格を有する構造のもの、即ち、多価アルコールに水分なしで透明溶解し、他の成分との配合により起泡性を有するものであれば、特に限定されるものではない。なお、非イオン性界面活性剤が水分なしで多価アルコールに透明溶解しているか否かは、目視による判断の他、非イオン性界面活性剤を多価アルコールに水分なしで溶かした溶液を室温にて日本電色社製の色差計ＳＥ２０００を用いて測定したときのＬ値が９０以上、より好ましくは９５以上であるか否かで判断することができる。
【００２６】
本発明において、ポリグリセリン骨格を有する非イオン性界面活性剤の具体例としては、ポリグリセリン脂肪酸エステル、ポリグリセリンアルキルエーテルを挙げることができる。ポリグリセリン脂肪酸エステル及びポリグリセリンアルキルエーテルは、起泡性を有する上、多価アルコールに水分なしで透明溶解する。
【００２７】
また、ポリグリセリン脂肪酸エステルの具体例としては、炭素数が８〜２２の飽和、不飽和または分岐のアルキル基の脂肪酸と、重合数が２〜１２のポリグリセリンとのエステルが好ましく、具体例としては、デカグリセリンモノカプリン酸エステル、デカグリセリンモノラウリン酸エステル、デカグルセリンモノミリスチン酸エステル、デカグリセリンモノパルミチン酸エステル、デカグリセリンモノオレイン酸エステル、デカグリセリンジラウリン酸エステル、デカグリセリンジミリスチン酸エステル、ペンタグリセリンモノカプリン酸エステル、ペンタグリセリンモノラウリン酸エステル、ペンタグリセリンモノミリスチン酸エステル、ペンタグリセリンモノパルミチン酸エステル、ペンタグリセリンモノオレイン酸エステル等を挙げることができる。
【００２８】
また、ポリグリセリンアルキルエーテルの具体例としては、炭素数が８〜２２の飽和、不飽和または分岐のアルキル基が、重合数が２〜１２のポリグリセリンとエーテル結合したものが好ましく、具体例としては、テトラグリセリンデシルエーテル、テトラグリセリンラウリルエーテル、テトラグリセリンミリスチルエーテル、テトラグリセリンパルミチルエーテル、テトラグリセリンオレイルエーテル、ヘキサグリセリンデシルエーテル、ヘキサグリセリンラウリルエーテル、ヘキサグリセリンミリスチルエーテル、ヘキサグリセリンパルミチルエーテル、ヘキサグリセリンオレイルエーテル等を使用することができる。また、このようなポリグリセリンアルキルエーテルは、上記したポリグリセリン脂肪酸エステルと比べて、目にしみにくいことから、顔用の温感性透明起泡洗浄剤組成物への配合に好適である。
【００２９】
上記した非イオン性界面活性剤は、単独で使用されても、２種以上が併用されて使用されてもよい。
【００３０】
また、本発明において、上記した１種以上の非イオン性界面活性剤の総含有量は、上記した多価アルコールに溶かすことができ、且つ組成物が皮膚に対する洗浄性をもたらすことができる量とされていればよく、組成物全体に対して、１〜４０重量％であることが好ましく、３．０〜２０．０重量％であることがより好ましい。上記非イオン性界面活性剤の含有量が組成物全体に対して、１重量％未満である場合には、十分な洗浄性を得ることができないおそれがあり、４０重量％よりも多い場合には、洗浄力が強すぎたり、刺激感を感じたりするおそれがある。
【００３１】
＜増粘剤＞
また、本発明に係る温感性透明起泡洗浄剤組成物には、組成物に増粘性を付与する目的で、増粘剤が配合されていてもよい。増粘剤としては、カルボキシビニルポリマー、及び上記一般式（１）で表される（アクリレーツ／イタコン酸ステアレス）コポリマーを挙げることができる。特に、（アクリレーツ／イタコン酸ステアレス）コポリマーは、増粘性に優れ、且つ上記多価アルコールに溶けやすいことから、本発明において好適に使用できる。
【００３２】
組成物に増粘性を付与する場合に配合されるカルボキシビニルポリマーの含有量は、組成物全体に対して０．０１〜２．０重量％であることが好ましい。カルボキシルポリマーの含有量が、組成物全体に対して、０．０１重量％未満である場合には、十分な増粘性を得ることができないおそれがあり、２．０重量％より多い場合には、粘度が高すぎて使用中ののびが悪くなるおそれがある。
【００３３】
組成物に増粘性を付与する場合に配合される（アクリレーツ／イタコン酸ステアレス）コポリマーの含有量は、組成物全体に対して０．１〜５．０重量％であることが好ましい。（アクリレーツ／イタコン酸ステアレス）コポリマーの含有量が、組成物全体に対して、０．１重量％未満である場合には、十分な増粘性を得ることができないおそれがあり、５．０重量％より多い場合には、粘度が高すぎて使用中ののびが悪くなるおそれがある。
【００３４】
カルボキシビニルポリマー及び（アクリレーツ／イタコン酸ステアレス）コポリマーの中和剤としては、通常、増粘のために用いられる塩基性物質を問題なく使用することができる。
【００３５】
例えば、水酸化ナトリウム、水酸化カリウム、トリエタノールアミン、モノエタノールアミン、アミノメチルプロパノール等を挙げることができる。また、水酸化ナトリウム、水酸化カリウム等無機電解質の溶解にはごく微量の水を用いてよい。
【００３６】
＜シリコーン系界面活性剤＞
また、本発明に係る温感性透明起泡洗浄剤組成物には、シリコーン系界面活性剤が配合されていてもよい。シリコーン系界面活性剤の配合によれば、組成物に油性のメイクアップ化粧品を落とす効果が付与される。
【００３７】
シリコーン系界面活性剤としては、ポリシロキサンを骨格とし、ポリオキシエチレン、ポリオキシプロピレン等のポリオキシアルキレン基が付加したものであればよく、具体例としては、ポリオキシエチレン・メチルポリシロキサンコポリマー、ポリ（オキシエチレン・オキシプロピレン）メチルポリシロキサンコポリマー、ポリオキシエチレンアルキルポリシロキサン・ポリオキシプロピレンアルキルポリシロキサン・ジメチルポリシロキサンコポリマー、メチルポリシロキサン・アルキルメチルポリシロキサン・ポリ（オキシエチレン・オキシプロピレン）メチルポリシロキサンコポリマー等が挙げられる。
【００３８】
メイク落とし効果を付与する場合に配合されるシリコーン系界面活性剤の含有量は、組成物全体に対して０．１〜５．０重量％であることが好ましい。シリコーン系界面活性剤の含有量が、組成物全体に対して０．１重量％未満である場合には、十分なメイク落とし効果を得ることができないおそれがあり、５．０重量％より多い場合には、系への溶解が不十分となり不透明不均一になるおそれがある。
【００３９】
＜油分＞
また、本発明に係る温感性透明起泡洗浄剤組成物には、油分の配合により、メイク落とし効果が付与されていてもよい。
【００４０】
油分としては、公知のものをいずれも使用することができ、例えば、流動パラフィン、イソパラフィン、メチルポリシロキサン、メチルフェニルポリシロキサン、デカメチルシクロペンタシロキサン、各種植物油、スクワラン、ジカプリン酸ネオペンチルグリコール、２−エチルヘキサン酸グリセリル、２−エチルヘキサン酸セチル、パルミチン酸オクチル、イソステアリン酸イソセチル、ミリスチン酸ミリスチル、コハク酸ジエトキシエチル、ジエチレングリコールジエチルエーテル等を使用することができる。
【００４１】
メイク落とし効果を付与する際に配合される油分の含有量は、組成物全体に対して０．０１〜５．０重量％であることが好ましい。油分の含有量が、組成物全体に対して０．０１重量％未満である場合には、十分なメイク落とし効果を得ることができないおそれがあり、５．０重量％より多い場合には、界面活性剤により可溶化されず、不透明不均一になるおそれがある。
【００４２】
＜水分量＞
本発明に係る温感性透明起泡洗浄剤組成物中の水分量は、１０重量％以下であることが強い温感を得るために必須である。より好ましくは５重量％以下である。
【００４３】
水分量が、１０重量％より多いと、組成物中で多価アルコールと水とが製造時に反応して水和熱が発生するために、使用時に発生する水和熱が少なく、皮膚に十分な温感が得られなくなる。逆に言えば、水分量が少ない程、使用時に十分な水和熱が発生し、皮膚に十分な温感が得られるため、本発明に係る温感性透明起泡洗浄剤組成物中の水分量は少ない程よく、０重量％であることが特に好ましい。
【００４４】
＜その他成分＞
本発明に係る温感性透明起泡洗浄剤組成物には、本発明の効果を損なわない範囲内で、必要に応じて、洗浄剤組成物に通常配合される成分、例えば、ＥＤＴＡ塩やヘキサメタリン酸塩等の金属イオン封鎖剤、殺菌剤、防腐剤、消炎剤等各種薬剤、顆粒、カプセル、色素、香料等が配合されていてよい。
【００４５】
上記したような本発明に係る温感性透明起泡洗浄剤組成物は、例えば、ボトル式、ポンプ式、及びチューブ式等の各種の容器に充填して保存することができる。また、本発明に係る温感性透明起泡洗浄剤組成物は、温感性と起泡性を有しているため、皮膚に塗布してマッサージすることにより、温感作用による血行促進効果を得ながら、皮膚上の汚れや皮脂の洗浄を行うことができ、また、マッサージ終了後には、水を加えて泡立てて洗い流すことにより、さっぱり感を得ることができる。また、本発明に係る温感性透明起泡洗浄剤組成物は、透明均一であるため、清浄感があり、扱い易く、市場価値が高い。
【実施例】
【００４６】
以下、本発明を実施例を挙げて詳細に説明するが、本発明はこれらの実施例に限定されるものではない。
【００４７】
＜実施例１〜８及び比較例１〜６＞
表１及び表２に示す配合成分及び配合量で実施例１〜８及び比較例１〜６に係る洗浄剤組成物を、次に示す用法により調製した。
【００４８】
【表１】
2010106258.tif 000003
【００４９】
【表２】
2010106258.tif 000004
【００５０】
即ち、実施例１〜４及び比較例１に係る洗浄剤組成物は、ポリエチレングリコール４００、濃グリセリン、及び１，３−ブチレングリコールから選択される２種以上の多価アルコールを混合した多価アルコール混合液に、デカグリセリンラウリン酸エステル及びテトラグリセリンラウリルエーテルから選択される１種以上の非イオン性界面活性剤を溶解することにより調製した。なお、実施例４に係る洗浄剤組成物には、さらに、精製水を加えた。
【００５１】
また、実施例５に係る洗浄剤組成物は、多価アルコール混合液にテトラグリセリンラウリルエーテルを溶解した後、ポリオキシエチレンメチルポリシロキサンコポリマー及び油分（オレンジ油）を添加溶解させ、さらに精製水を加えることにより調製した。
【００５２】
また、実施例６及び比較例２〜３に係る洗浄剤組成物は、多価アルコール混合液にカルボキシビニルポリマーを溶解させた混合液にデカグリセリンラウリン酸エステル又はテトラグリセリンラウリルエーテルを溶解させた後、ポリオキシエチレンメチルポリシロキサンコポリマー及び油分（オレンジ油）を添加溶解し、次いで、アルカリ（水酸化カリウム水溶液）で中和し、さらに精製水を加えることにより調製した。
【００５３】
また、実施例７及び８に係る洗浄剤組成物は、濃グリセリンと（アクリレーツ／イタコン酸ステアレス）コポリマー液とを混合した溶液に、ポリエチレングリコール４００を混合し、テトラグリセリンラウリルエーテルを溶解した後、ポリオキシエチレンメチルポリシロキサンコポリマー及び油分（オレンジ油）を添加溶解し、次いで、アルカリ（水酸化カリウム水溶液）で中和し、さらに精製水を加えることにより調製した。なお、（アクリレーツ／イタコン酸ステアレス）コポリマー液としては、（アクリレーツ／イタコン酸ステアレスー２０）コポリマーの水溶液、具体的には、日本エヌエスシー株式会社製のＳｔｒｕｃｔｕｒｅ２００１（商品名）を使用した。
【００５４】
また、比較例４〜６に係る洗浄剤組成物は、１，３−ブチレングリコール（多価アルコール）に、ココイルグルタミン酸カリウム、ラウリルアミノジ酢酸ナトリウム液（３０％水溶液）、及びラウリン酸アミドプロピルベタイン液（３０％水溶液）から選択される１種以上の界面活性剤と、精製水とを加えることにより調製した。さらに、比較例４に係る洗浄剤組成物には、ポリオキシエチレンメチルポリシロキサンコポリマーを加えた。
【００５５】
なお、表１及び表２において、水酸化カリウム水溶液、（アクリレーツ／イタコン酸ステアレス）コポリマー液、ラウリルアミノジ酢酸ナトリウム液、及びラウリン酸アミドプロピルベタイン液については、それぞれ、括弧内に、洗浄剤組成物の総重量を基準とした水酸化カリウム水溶液、（アクリレーツ／イタコン酸ステアレス）コポリマー液、ラウリルアミノジ酢酸ナトリウム液、又はラウリン酸アミドプロピルベタイン液に含まれる水の重量比率を示した。つまり、表１及び２中に総水分量として示される通り、実施例６の洗浄剤組成物は、０．０５＋８．６５＝８．７重量％の水分を実質的に含み、実施例７の洗浄剤組成物は、１．４＋０．０８５＋５＝６．４８５重量％の水分を実質的に含み、実施例８の洗浄剤組成物は、７＋０．４３＋２＝９．４３重量％の水分を実質的に含む。また、比較例２の洗浄剤組成物は、０．０５＋５＝５．０５重量％の水分を実質的に含み、比較例３の洗浄剤組成物は、０．０５＋２９．０５＝２９．１重量％の水分を実質的に含む。さらに、比較例４の洗浄剤組成物は、４．９＋５．６＋５＝１５．５重量％の水分を実質的に含み、比較例６の洗浄剤組成物は、１６．８＋３＝１９．８重量％の水分を実質的に含む。
【００５６】
上記したようにして調製した実施例１〜８、及び比較例１〜６に係る洗浄剤組成物を試料として、「透明性」、「温感性」、及び「起泡性」を下記の評価基準により評価した。その結果を表１及び２に示した。
【００５７】
まず、透明性は、日本電色社製色差計ＳＥ２０００を用いて室温（２５℃）条件下で試料のＬ値を測定し、下記評価基準により評価した。
【００５８】
◎：透明性極めて良好（Ｌ値が９５以上）。
○：透明性良好（Ｌ値が９０以上９５未満）。
△：透明性やや不良（Ｌ値が８０以上９０未満）。
×：透明性不良（Ｌ値が８０未満、または、界面活性剤が析出）。
【００５９】
また、温感性は、専門パネリスト１０名により、試料の塗布時から洗い流し時までの効果を、下記評価基準により評価した。
【００６０】
◎：１０人中９人以上のパネリストが、十分な温感が得られると評価
○：１０人中７〜８人のパネリストが、十分な温感が得られると評価
△：１０人中５〜６人のパネリストが、十分な温感が得られると評価
×：１０人中４人以下のパネリストが、十分な温感が得られると評価
【００６１】
また、起泡性は、炭酸カルシウム７０ｐｐｍの人工硬水により試料濃度１０％水溶液を４００ｍｌ調製し、この試料濃度１０％水溶液４００ｍｌの起泡量を温度４０℃の条件下で攪拌機つき円筒型シリンダーを用いて測定し、下記評価基準により評価した。
【００６２】
◎：  泡立ち極めて良好（起泡量が２３００ｍｌ以上）。
○：  泡立ち良好（起泡量が２０００ｍｌ以上２３００ｍｌ未満）。
△：  泡立ちやや不良（起泡量が１５００ｍｌ以上２０００ｍｌ未満）。
×：  泡立ち不良（起泡量１５００ｍｌ未満）。
【００６３】
表１及び２に示す結果より、実施例１〜８に係る洗浄剤組成物は、比較例１〜６に係る洗浄剤組成物と比較して透明性、及び温感性に優れていることが認められた。また、実施例１〜８に係る洗浄剤組成物は、比較例１〜６に係る洗浄剤組成物と同等以上の起泡性を有することが認められた。
【００６４】
具体的には、ポリグリセリン骨格を有するポリグリセリン脂肪酸エステル及びポリグリセリンアルキルエーテルは、それぞれ、多価アルコールへの透明溶解性が極めて高く、デカグリセリンラウリン酸エステル（ポリグリセリン脂肪酸エステル）、及びテトラグリセリンラウリルエーテル（ポリグリセリンアルキルエーテル）から選択される１種以上の非イオン性界面活性剤を界面活性剤として含有する実施例１〜８に係る洗浄剤組成物は、多価アルコールに水分なしで透明溶解しないココイルグルタミン酸カリウム、ラウリルアミノジ酢酸ナトリウム、ラウリン酸アミドプロピルベタイン等を界面活性剤として含有する比較例４〜６に係る洗浄剤組成物と比べて、透明性に極めて優れていることが認められた。
【００６５】
また、本発明に係る実施例１〜８に係る洗浄剤組成物は、水分量が１０重量％以下と微量であり、水分量が１０重量％より多い比較例１、３、４及び６と比べて、良好な温感性を有することが認められた。
【００６６】
また、多価アルコールの含有量が６０重量％未満の比較例２は、多価アルコールの含有量が６０重量％以上の実施例１〜８と比べて、温感性に劣ることが認められた。
【００６７】
以上のことから、実施例１〜８に係る洗浄剤組成物は、温感性透明起泡洗浄剤組成物として良好に適用できることが認められた。